(57)【要約】【課題】スピーカの放音に必要な共鳴空間を限られた狭い空間内に確保して、良好な音響特性を得ることができる携帯端末装置を提供する。【解決手段】上筐体３０と外装パネル５０との間に形成される拡張空間Ｓ１とを備え、上筐体３０の内部空間Ｓに加え、通気孔３３を介し、拡張空間Ｓ１を電気機械音響変換器３１の共鳴空間となるように構成することで、良好な音響特性を実現する。【選択図】図１
2007318396.tif 000002
【特許請求の範囲】
【請求項１】
筐体に設けた内部空間に取り付け、電気信号に応じて振動板を振動させることにより放音する電気機械音響変換器と、
前記筐体に装着される外装パネルと、
前記筐体または前記外装パネルに開口した第１の放音孔と、
前記筐体に開口した通気孔と、
前記電気機械音響変換器から放音する音を前記第１の放音孔へ導く第１の音通路と、
前記筐体と前記外装パネルとの間に形成され、前記通気孔を介して前記筐体の前記内部空間と連通する拡張空間と、
を備え、
前記拡張空間は、前記電気機械音響変換器の共鳴空間を構成する携帯端末装置。
【請求項２】
前記第１の音通路は、前記電気機械音響変換器のフレームと一体に形成され、一方向に向けて突設している請求項１に記載の携帯端末装置。
【請求項３】
前記第１の音通路は、前記筐体内部において、前記筐体と一体に形成され一方向に向けて突設している請求項１に記載の携帯端末装置。
【請求項４】
前記第１の放音孔は前記筐体に設けられ、
前記外装パネルと一体に形成された第２の放音孔と、
第２の側壁部材によって形成され前記電気機械音響変換器から放音された音を前記第２の放音孔を介し前記第１の放音孔まで導く第２の音通路と、
を備える請求項１ないし３のいずれか１項に記載の携帯端末装置。
【請求項５】
前記第２の側壁部材は、前記筐体内部において、前記筐体と一体に形成され前記一方向とは異なる他方向に向けて突設している請求項４に記載の携帯端末装置。
【請求項６】
前記第２の側壁部材は、前記外装パネルと一体に形成され一方向に向けて突設している請求項４に記載の携帯端末装置。
【請求項７】
前記第２の側壁部材は、前記筐体および前記外装パネルと一体に形成され前記一方向とは異なる他方向に向けて突設している請求項４に記載の携帯端末装置。
【請求項８】
第３の側壁部材によって形成され前記電気機械音響変換器と前記通気孔とを取り囲むようにして、前記電気機械音響変換器と前記通気孔との間に連通させて形成した第３の音通路を備える請求項１ないし７のいずれか１項に記載の携帯端末装置。
【請求項９】
前記第３の音通路は、前記筐体と一体に形成され前記一方向及び他方向とは異なる方向に向けて突設している請求項８に記載の携帯端末装置。
【請求項１０】
前記電気機械音響変換器、前記音通路、および前記放音孔を複数備える請求項１ないし９のいずれか１項に記載の携帯端末装置。
【請求項１１】
前記外装パネルは、電池カバーを兼用する請求項１ないし１０のいずれか１項に記載の携帯端末装置。
【請求項１２】
前記拡張空間の内部に微粉末を有することを特徴とした請求項１ないし１０のいずれか１項に記載の携帯端末装置。
【請求項１３】
前記拡張空間の内部に芳香剤を有することを特徴とした請求項１ないし１０のいずれか１項に記載の携帯端末装置。
【請求項１４】
前記拡張空間は、玩具としての機能を備えた請求項１ないし１０のいずれか１項に記載の携帯端末装置。
【請求項１５】
請求項１ないし１４に記載のいずれか１項に記載の構成要素または機能を備える電子機器。
【発明の詳細な説明】
【技術分野】
【０００１】
本発明は、スピーカ（電気機械音響変換器）を搭載した携帯端末装置、及びパソコン、ゲーム機等の電子機器に関するものである。
【背景技術】
【０００２】
従来の電子機器、例えば携帯端末装置には、例えば図１２（Ａ）、（Ｂ）に示すように、下筐体２０１Ａと、上筐体２０１Ｂと、これらの筐体を回動自在に連結する連結部２０１Ｃとを備えた折畳式の携帯端末装置２００などが知られている。このような携帯端末装置２００にあっては、例えば同図（Ｃ）に示すように、上筐体２０１Ｂに、振動板を有し電気信号に応じて振動板を振動させることにより音を放音する電気機械音響変換器２０２を備えると共に、上筐体２０１Ｂに開口した放音孔２０３と、電気機械音響変換器２０２から放音された音を放音孔２０３まで導く音通路２０４とを設けたものが各種開発されている。なお、同図（Ｃ）中、符号２０５は図示外のプリント基板や液晶表示装置が配設される内部空間、２０６は外装パネルを示す。
【０００３】
ところで、電気機械音響変換器において良好な音響特性を得るためには、電気機械音響変換器を実装した筐体内部に、電気機械音響変換器での共鳴に十分な容積の空間を確保する必要があることは一般に知られている。
【０００４】
しかしながら、最近の携帯端末装置は、小型化のため電気機械音響変換器を実装した筐体内部に様々な部品が高密度に実装されており、筐体内部の容積を確保することが難しくなっている。そこで、従来は、例えば特許文献１に記載のように、電気機械音響変換器の後方の空間を拡張させた構造を筐体内部に追加することで、容積を確保して良好な音響特性を得るように構成しているものも提案されている。
【特許文献１】特許第２８３４０１２号公報
【発明の開示】
【発明が解決しようとする課題】
【０００５】
しかしながら、従来は音響特性を向上させるための構造を筐体内部に確保しようとすると、携帯端末装置を小型化しようとする際の妨げとなる。
【０００６】
本発明は、上記事情に鑑みてなされたもので、小型化の妨げにならずに良好な音響特性を得ることができる携帯端末装置及び電子機器を提供することを目的とする。
【課題を解決するための手段】
【０００７】
本発明の携帯端末装置は、筐体に設けた内部空間に取り付け、電気信号に応じて振動板を振動させることにより放音する電気機械音響変換器と、前記筐体に開口した第１の放音孔と、前記筐体の第１の側壁部材によって形成され前記電気機械音響変換器から放音する音を前記第１の放音孔まで導く第１の音通路と、前記筐体に装着される外装パネルと、前記筐体と前記外装パネルとの間に形成され、前記筐体に形成した通気孔を介して前記筐体の前記内部空間と連通する拡張空間と、を備え、前記拡張空間は、前記電気機械音響変換器の共鳴空間を構成するものである。
【０００８】
上記構成によれば、スピーカの共鳴空間として従来使用している携帯端末装置の内部空間に加え、更に筐体外部へ携帯端末装置の筐体と同筐体へ装着した外装パネルとの間に形成された拡張空間をスピーカの共鳴空間とすることで、良好な音響特性を得ることが可能となる。
【０００９】
また、本発明の一態様として、前記第１の音通路は、前記電気機械音響変換器のフレームと一体に形成され、一方向に向けて突設している。
【００１０】
また、本発明の一態様として、前記第１の音通路は、前記筐体内部において、前記筐体と一体に形成され一方向に向けて突設している。
【００１１】
また、本発明の一態様として、前記第１の放音孔は前記筐体に設けられ、前記外装パネルと一体に形成された第２の放音孔と、第２の側壁部材によって形成され前記電気機械音響変換器から放音された音を前記第２の放音孔を介し前記第１の放音孔まで導く第２の音通路と、を備える。
【００１２】
また、本発明の一態様として、前記第２の側壁部材は、前記筐体内部において、前記筐体と一体に形成され前記一方向とは異なる他方向に向けて突設している。
【００１３】
また、本発明の一態様として、前記第２の側壁部材は、前記外装パネルと一体に形成され一方向に向けて突設している。
【００１４】
また、本発明の一態様として、前記第２の側壁部材は、前記筐体および前記外装パネルと一体に形成され前記一方向とは異なる他方向に向けて突設している。
【００１５】
また、本発明の一態様として、第３の側壁部材によって形成され前記電気機械音響変換器と前記通気孔とを取り囲むようにして、前記電気機械音響変換器と前記通気孔との間に連通させて形成した第３の音通路を備える。
【００１６】
また、本発明の一態様として、前記第３の音通路は、前記筐体と一体に形成され前記一方向及び他方向とは異なる方向に向けて突設している。
【００１７】
また、本発明の一態様として、前記電気機械音響変換器、前記音通路、および前記放音孔を複数備える。
【００１８】
また、本発明の一態様として、前記外装パネルが、電池カバーを兼用する。
【００１９】
また、本発明の一態様として、前記拡張空間の内部に微粉末を有し、前記電気機械音響変換器の放音動作に連動して前記微粉末が変位動作するように構成した。
【００２０】
また、本発明の一態様として、前記拡張空間の内部に芳香剤を有し、前記電気機械音響変換器の放音に連動して前記芳香剤が前記第２の放音孔より芳香するように構成した。
【００２１】
また、本発明の一態様として、前記拡張空間は、玩具としての機能を備えた。
【００２２】
また、本発明の電子機器は、上記のいずれかに記載の構成要素または機能を備えるものである。
【発明の効果】
【００２３】
本発明によれば、筐体と外装パネルとの間に形成される従来は使用されていない空間を利用して拡張空間を設けており、筐体の内部空間に加えその拡張空間を電気機械音響変換器の共鳴空間となるように構成することで、小型化の妨げにならずに良好な音響特性を得ることができる携帯端末装置及び電子機器が提供できる。
【発明を実施するための最良の形態】
【００２４】
以下、本発明の実施形態について、添付図面を参照しながら詳細に説明する。
（第１の実施形態）
図１（Ａ）は本発明の第１の実施形態に係る携帯端末装置を開放したときの平面図、同図（Ｂ）はその携帯端末装置の側面図、同図（Ｃ）は同図（Ａ）におけるＡ−Ａ線（切断面を１８０度反転した状態を示す）断面図である。
本発明の第１の実施形態に係る携帯端末装置１０は、折畳式の携帯電話機に適用されている。即ち、本実施形態の携帯端末装置１０は、下筐体２０と、上筐体３０と、これらの筐体を回動自在に連結する連結部４０Ｃとを備えており、上筐体３０には外装パネル５０が装着されている。なお、図中符号Ｓは、図示外の液晶表示部やプリント基板などが配置される、上筐体３０の内部空間を示す。
【００２５】
上筐体３０には、図示外の液晶表示部と電気機械音響変換器３１などを内蔵しており、外表面には前述した外装パネル５０が装着される。電気機械音響変換器３１は、その詳細については後述するが、電気信号に応じて図示外の振動板を振動させることにより放音する。
【００２６】
また、この上筐体３０には、この上筐体３０と一体に形成された第１の放音孔３２と、内部空間Ｓと後述の拡張空間Ｓ１との間を連通・連結する通気孔３３と、側壁部材によって形成され電気機械音響変換器３１から放音された音を第１の放音孔３２まで導く第１の音通路３４とを備えるとともに、上筐体３０と外装パネル５０との間に拡張空間Ｓ１が形成されている。
【００２７】
第１の放音孔３２は、第１の音通路３４の先の上筐体３０に開口してあり、この第１の放音孔３２設ける上筐体３０の側面に対して、電気機械音響変換器３１が垂設している格好となっている。なお、この第１の放音孔３２は、外装パネル５０とは反対側などに設置してもよい。
【００２８】
通気孔３３は、特定の位置や形状に限定されるものではないが、電気機械音響変換器３１の近傍の上筐体３０の内部空間Ｓに臨む部位に形成されている。この通気孔３３は、内部空間Ｓ及び拡張空間Ｓ１を電気機械音響変換器３１の共鳴空間として機能させるのに十分な大きさの面積を確保した孔であることが望ましい。
【００２９】
拡張空間Ｓ１は、通気孔３３を介して上筐体３０の内部空間Ｓと連通・連結している。本実施形態では、この拡張空間Ｓ１を電気機械音響変換器３１の共鳴空間として使用するようになっているため、上筐体３０と外装パネル５０との接合部Ｊには音が漏れるなどの理由から、気密性が必要となる。そこで、この接合部Ｊは、互いに凹部と凸部を係止させてこれらを嵌合させるか係合させることにより、その気密性を確保している。また、上筐体３０と外装パネル５０との接合部は、上筐体３０の外周を取り囲むように形成しているが、電気機械音響変換器３１の放音によって異常音が発生しない程度の厚さを確保して形成することが望ましい。
なお、本発明では、このような構成のほかに、例えば粘着性のある両面テープなどを使用して双方を接合させるようにして、上筐体３０と外装パネル５０との接合部の気密性を確保してもよい。
【００３０】
外装パネル５０は、特に本実施形態では特定の材料や形状に限定されるものではなく、例えば樹脂や金属等で形成することができるが、後述する実施形態では透明部材或いは半透明部材であることが必要となる場合もある。
【００３１】
図２は、本実施形態に係る電気機械音響変換器３１の断面図を示すものであり、この電気機械音響変換器３１は、ダイナミックスピーカで構成してある。
本実施形態の電気機械音響変換器３１は、壷型のヨーク３１１と、ヨーク３１１の中央部に設けられたマグネット３１２と、マグネット３１２の上部に設けたプレート３１３と、ヨーク３１１とプレート３１３との間の磁気空隙に挿入したボイスコイル３１４と、ボイスコイル３１４に接続した振動板３１５とを備える。ヨーク３１１は、フレーム３１６の中央部に設ける。フレーム３１６は、振動板３１５と対向するように取り付ける。
【００３２】
このように構成された携帯端末装置１０の動作について説明する。
電気機械音響変換器３１における磁気空隙に挿入されたボイスコイル３１４に電気信号が印加されると、ボイスコイル３１４に駆動力が発生し、ボイスコイル３１４に接続された振動板３１５が振動する。これにより、振動板３１５が空気の圧力に変化を起こし、第１の放音孔３２を介して空間へ音を発生する。一方、振動板３１５による圧力変化は、上筐体３０の内部空間Ｓおよび通気孔３３を介し拡張空間Ｓ１にも伝わる。ここで、電気機械音響変換器３１は、共鳴するべき容積が大きいほど、良好な音響特性が得られる。従って、外装パネル５０によって拡張された拡張空間Ｓ１の存在により、その特性を効果的に発揮する。
【００３３】
次に、拡張空間Ｓ１の効果について、下記の解析実験を用いて説明する。
図３は、図１２に示す従来の携帯端末装置２００と、図１に示す本実施形態の携帯端末装置１０とにおける、音圧周波数特性を示す相関図である。なお、以下に示す具体的な数値は、あくまで本発明の効果を定量的に把握するために設定した数値であり、数値そのものは一つの例示であって、これら個別の数値が本発明の本質に対するいかなる制約にもなるものではない。
図３に示す実験解析において、従来の電気機械音響変換器２０２と本実施形態の電気機械音響変換器３１は、ともに口径φ１４ｍｍ、最低共振周波数９００Ｈｚのダイナミックスピーカを用いる。また、従来の筐体と本実施形態の筐体には、同一の外形形状のものを使用し、従来の上筐体２０１Ｂの内部空間２０５と本実施形態の上筐体３０の内部空間Ｓは、ともに３ｃｍ３の容積を有する。さらに、本実施形態で新たに設けた拡張空間Ｓ１では、３ｃｍ３の容積を有する。
【００３４】
以上のような構成を有する携帯端末装置から０．１ｍ離れた位置に、それぞれ同機種のマイクを設置して、従来の電気機械音響変換器２０２と本実施形態の電気機械音響変換器３１に、共に０．２Ｗの電力を印加した条件設定で、実験解析を行った。
【００３５】
その結果、図３に示すようなデータが得られた。ここで、特性Iは、従来の携帯端末装置（内部空間２０５の容積が３ｃｍ３である）の場合の解析結果を示すグラフである。特性IIは、本実施形態の携帯端末装置（内部空間Ｓが３ｃｍ３で拡張空間Ｓ１が３ｃｍ３の合計６ｃｍ３の容積である）の場合の解析結果を示すグラフである。
【００３６】
特性Iと特性IIとのグラフを比較することで、本実施形態における有意性が容易に理解できる。即ち、従来の電気機械音響変換器２０２の最低共振周波数は約１３００Ｈｚである。これに対して、本実施形態では、従来のものと同一の筐体外形形状であっても、外装パネル５０を設けることによって電気機械音響変換器３１の共鳴空間が拡張されることで、電気機械音響変換器３１の最低共振周波数は約１１００Ｈｚとなり、電気機械音響変換器の再生帯域には明らかな有意差が発生する。また、この電気機械音響変換器の再生帯域の違いにより、約１０００Ｈｚ以下の音圧レベルを約６ｄＢ向上できる。
【００３７】
以上述べた通り、本実施形態に係る携帯端末装置１０は、その独自の構造である外装パネル５０によって拡張された拡張空間Ｓ１により、図１２に示す従来の携帯端末装置に対して、上記の有意性を有する。
なお、本実施形態では、電気機械音響変換器３１としてダイナミックスピーカを用いたが、セラミックスピーカ、電磁形スピーカ、静電形スピーカ等、振動板から音を放音するスピーカであればどのようなスピーカを用いても同様の効果が得られる。また、電気機械音響変換器３１の外形形状は丸型であってもよいが、楕円あるいは長方形であっても同様の効果が得られる。
【００３８】
（第２の実施形態）
次に、本発明の第２の実施形態について、図４を参照しながら詳細に説明する。なお、本実施形態において第１の実施形態と同一部分には同一符号を付して重複説明を避ける。
本実施形態が第１の実施形態と異なるのは、第１の放音孔３２を形成する代わりに、外装パネル５０と一体に形成された第２の放音孔３５を上筐体３０の中央部に開口したことと、第２の側壁部材によって形成され、電気機械音響変換器３１から放音された音を第２の放音孔３５まで導く第２の音通路６１（図４（Ａ）参照）とを備える点と、第２の放音孔３５の左右両側に分割して拡張空間Ｓ１を形成した点である。
【００３９】
第２の側壁部材である第２の音通路６１は、上筐体３０と一体に形成されて上筐体３０の外部から外装パネル５０に向けて突設している。なお、この第２の音通路６１は、外装パネル５０と一体に形成されて突設している構成でもよい。さらに、この第２の音通路６１は、上筐体３０および外装パネル５０と一体に形成されて突設している構成でもよい。
【００４０】
従って、このような構成を有する本実施形態の携帯端末装置によれば、拡張空間Ｓ１を左右２つ有するので、この左右の拡張空間Ｓ１で共鳴し、良好な音響特性が得られる。
【００４１】
なお、本実施形態では、第１の放音孔３２を形成していなかったが、例えば図５（Ａ）〜（Ｃ）に示すように、その第１の放音孔３２を上筐体３０のいずれか一方の側面に開口させてもよい。
【００４２】
（第３の実施形態）
次に、本発明の第３の実施形態について、図６を参照しながら詳細に説明する。なお、本実施形態において第１の実施形態と同一部分には同一符号を付して重複説明を避ける。
本実施形態が第１の実施形態と異なるのは、側壁部材によって形成され、電気機械音響変換器３１を取り囲むようにして通気孔３３まで延設されるとともに通気孔３３を囲設する状態で取付けられた、第３の音通路７１を備える点である。
側壁部材によって形成された第３の音通路７１は、上筐体３０に一体に形成され内部空間Ｓに向けて突設している
【００４３】
従って、このような構成を有する本実施形態の携帯端末装置によれば、第３の音通路７１で連通する拡張空間Ｓ１を電気機械音響変換器３１の共鳴空間として使用している。即ち、電気機械音響変換器３１で音波を発生すると、この音波が上筐体３０の第３の音通路７１で誘導されながら拡張空間Ｓ１まで伝搬されてゆき、拡張空間Ｓ１で共鳴する。従って、効率的に共鳴させることができるなどの効果が得られる。
【００４４】
（第４の実施形態）
次に、本発明の第４の実施形態について、図７を参照しながら詳細に説明する。なお、本実施形態において第１の実施形態と同一部分には同一符号を付して重複説明を避ける。
本実施形態が第１の実施形態と異なるのは、電気機械音響変換器３１、音通路３４、および放音孔３２を複数組（本実施形態では２組）備える点である。
【００４５】
従って、このような構成を有する本実施形態の携帯端末装置によれば、上筐体３０の左右両側面に設けた電気機械音響変換器３１からの音が、同じく左右両側に２箇所設けた第１の放音孔３２を介して外部空間へそれぞれ放音する。このとき、左右双方に設けた電気機械音響変換器３１から発生する音波が、それぞれ、上筐体３０と外装パネル５０との間に形成されている拡張空間Ｓ１へも伝搬するので、この拡張空間Ｓ１でも共鳴するといった効果が得られる。
【００４６】
（第５の実施形態）
次に、本発明の第５の実施形態について、図８を参照しながら詳細に説明する。なお、本実施形態において第１の実施形態と同一部分には同一符号を付して重複説明を避ける。
本実施形態が第１の実施形態と異なるのは、下筺体２０に第１の放音孔２２が形成されていること、下筺体２０のバッテリパックが収容されるバッテリ室ＢＲに隣接して拡張空間Ｓ１及び内部空間Ｓを設けていること、及び外装パネル５０がバッテリ室ＢＲを閉じる電池カバーを兼用することなどである。なお、図中符号ＢＲは、図示外のバッテリパックを収容するバッテリ室を示す。
【００４７】
即ち、本実施形態の下筐体２０には、図示外のバッテリと電気機械音響変換器２１などを内蔵しており、外表面には前述した外装パネル５０が装着される。電気機械音響変換器２１は、第１の実施系形態と同様に、電気信号に応じて図示外の振動板を振動させることにより放音する。
【００４８】
また、下筺体２には、この下筐体２０と一体に形成された前述の第１の放音孔２２と、内部空間Ｓと前述の拡張空間Ｓ１との間を連通・連結する通気孔２３と、側壁部材によって形成され電気機械音響変換器２１から放音された音を第１の放音孔２２まで導く第１の音通路２４とを備える。なお、拡張空間Ｓ１は、下筐体２０のバッテリ室ＢＲに隣接した状態で、外装パネル５０との間に形成されている。また、拡張空間Ｓ１は、第１の実施形態と同様の構成であり、通気孔２３を介して下筐体２０の内部空間Ｓと連通・連結している。
【００４９】
このように、本実施形態では、下筺体２において、外装パネル５０が、拡張空間Ｓ１とバッテリ室ＢＲとの双方を同時に閉じる蓋として機能するように構成されており、バッテリ室ＢＲを設置している分だけ、他の実施形態に比べて拡張空間Ｓ１が縮小されている。
【００５０】
従って、このような構成を有する本実施形態の携帯端末装置においても、第１の実施形態と同様の効果を得ることができる。
【００５１】
（第６の実施形態）
次に、本発明の第６の実施形態について、図９を参照しながら詳細に説明する。なお、本実施形態において第１、第４の実施形態と同一部分には同一符号を付して重複説明を避ける。
本実施形態が第４の実施形態と異なるのは、拡張空間Ｓ１に砂鉄など磁性体の微粉末を入れており、電気機械音響変換器３１の放音動作に連動させて動くように構成している点である。
【００５２】
即ち、本実施形態では、図９（Ａ）、（Ｂ）に示すように、図４に示す第２の実施形態と同様の上筐体３０において、拡張空間Ｓ１の一部に隔壁８１を設けることで粉末室を形成し、その粉末室に砂鉄（適宜の色に着色されていてもよい）８２を封入させてある。また、隔壁８１は、非磁性材料で形成するとともに、同図（Ａ）に示すように、その隔壁８１の一部には、磁性材料で形成した磁極部８１Ａを適宜の箇所に形成しており、電気機械音響変換器３１のボイスコイル３１４などによって形成される磁界の変化により磁極部１８Ａに渦電流などを発生させる。
【００５３】
従って、このような構成を有する本実施形態の携帯端末装置によれば、ボイスコイル３１４の電流変化、つまり放音動作の強弱に応じて渦電流の発生量を変化させることができる。これにより、この磁極部１８Ａの周囲に形成される磁界の変化によって粉末室内の砂鉄の分布状態を変化させることができるので、放音動作に連動させて砂鉄８２を動かすことができる。
【００５４】
なお、本発明では、本実施形態のように隔壁８１に磁極部８１Ａを形成する以外に、例えば、図９（Ｃ）に示すように、適宜の模様や図形などに合わせたパターン形状を有する透明電極８１Ｂを各種形成し（同図（Ｃ）には１種類しか記載していない）、音楽などに合わせて通電する透明電極８１Ｂなどを切替えることで、砂鉄の描く形状を適宜変化させるようにしてもよい。
【００５５】
（第７の実施形態）
次に、本発明の第７の実施形態について、図１０を参照しながら詳細に説明する。なお、本実施形態において第１、第４の実施形態と同一部分には同一符号を付して重複説明を避ける。
本実施形態が第４の実施形態と異なるのは、拡張空間Ｓ１に芳香剤などを入れ、電気機械音響変換器３１の放音動作に連動させて第２の放音孔３５より各種の香りを芳香させるように構成した点である。
【００５６】
本実施形態では、図４に示す第２の実施形態と同様の上筐体３０において、拡張空間Ｓ１の一部に隔壁９１を設けることで芳香室を形成するとともに、この隔壁９１の適宜の箇所に発熱部となる電極部９２を形成する。また、この電極部９２の近傍には、各種の芳香を放つ物質（芳香剤）を固めた芳香部（図示せず）を点在させるとともに、その芳香部の物質が加温されることで気化して発生する芳香を、第２の放音孔３５から外部に漏出させるための芳香孔６１Ａ（同図（Ｂ）参照）を第２の音通路６１である第２の側壁部材に形成する。
【００５７】
従って、このような構成を有する本実施形態の携帯端末装置によれば、電気機械音響変換器３１の放音動作に応じて適宜の電極部９２を通電させることで、その近傍に設けた芳香部の物質（芳香剤）が加温される。これにより、芳香部の物質（芳香剤）が気化することで発生する芳香が、芳香孔６１Ａを通り、第２の音通路６１から上筐体３０の外部に放出できるので、放音動作に連動させて適宜の香りを放つことができる。
【００５８】
（第８の実施形態）
次に、本発明の第８の実施形態について、図１１を参照しながら詳細に説明する。なお、本実施形態において第１の実施形態と同一部分には同一符号を付して重複説明を避ける。
本実施形態が第１の実施形態と異なるのは、拡張空間Ｓ１に玩具を入れた点である。即ち、本実施形態では、外装パネル５０の拡張空間Ｓ１の一部に封止部材１０１を取り付け、この封止部材１０１で封止された空間（水槽）内に、透明でかつ粘性が比較的高い適宜の液体Ｌを封入する。また、この封止部材１０１で封止された空間内には、例えば金魚などの液体Ｌに浮く玩具Ｔを投入させる。
【００５９】
従って、本実施形態によれば、上筐体３０を各種の方向に傾けると、その状態下で作用する重力により、玩具Ｔが上下左右の各種方向にゆっくりと浮遊したり移動できるので、その動きの変化を眺めて楽しむことができる。これにより、携帯端末装置としての機能のほかに、娯楽性が付与できる。
【００６０】
なお、本実施形態では、水槽を構成する空間内に金魚などの玩具を浮かせる構成としたが、これ以外に、例えば外装パネル５０の一部を厚く湾曲させる形状とすることにより、所謂スノードームのような構成としてもよい。即ち、ドームまたはボール形の空間にフィギュアと水状の液体及び雪に模した白いパウダー封入するように構成することで、携帯端末装置を揺り動かすと、ゆっくりと雪が舞ってフィギュアの上に降り積もる様子が、ロマンチックな気分をかもし出してくれる。さらに、ピンボールなどの遊具や各種ゲームなどの機能を外装パネル５０中に付設させてもよい。
【００６１】
なお、本発明は上述した実施形態に何ら限定されるものではなく、その要旨を逸脱しない範囲において種々の形態で実施し得るものである。即ち、上記した各実施形態では、折畳式の携帯電話機に適用したが、これ以外に、例えばＰＨＳ（Personal Handyphone System）、ＰＤＡ（Personal Digital Assistant）、電子腕時計、電子辞書などのように、電気信号に応じて振動板を振動させることにより放音する電気機械音響変換器を備えた各種の電子機器に適用可能である。
【産業上の利用可能性】
【００６２】
本発明の携帯端末装置は、小型化の妨げにならずに良好な音響特性を得ることができる効果を有し、携帯電話機以外に、例えばＰＨＳ（Personal Handyphone System）、ＰＤＡ（Personal Digital Assistant）、電子腕時計、電子辞書などのような電子機器等に有用である。
【図面の簡単な説明】
【００６３】
【図１】本発明の第１の実施形態に係る携帯端末装置を示すものであり、（Ａ）は平面図、（Ｂ）は側面図、（Ｃ）はＡ−Ａ線（切断面を１８０度反転した状態を示す）断面図
【図２】その携帯端末装置に設けた電気機械音響変換器の断面図
【図３】その携帯端末装置に設けた拡張空間の有意性を示す音圧周波数特性を示すグラフ
【図４】本発明の第２の実施形態に係る携帯端末装置の構造を示すものであり、（Ａ）は平面図、（Ｂ）は側面図、（Ｃ）はＢ１−Ｂ１線（切断面を１８０度反転した状態を示す）断面図
【図５】本発明の第２の実施形態に係る携帯端末装置の変形例の構造を示すものであり、（Ａ）は平面図、（Ｂ）は側面図、（Ｃ）はＢ２−Ｂ２線（切断面を１８０度反転した状態を示す）断面図
【図６】本発明の第３の実施形態に係る携帯端末装置を示すものであり、（Ａ）は平面図、（Ｂ）は側面図、（Ｃ）はＣ−Ｃ線（切断面を１８０度反転した状態を示す）断面図
【図７】本発明の第４の実施形態に係る携帯端末装置を示すものであり、（Ａ）は平面図、（Ｂ）は側面図、（Ｃ）はＤ−Ｄ線（切断面を１８０度反転した状態を示す）断面図
【図８】本発明の第５の実施形態に係る携帯端末装置を示すものであり、（Ａ）は平面図、（Ｂ）は側面図、（Ｃ）はＥ−Ｅ線（切断面を１８０度反転した状態を示す）断面図
【図９】本発明の第６の実施形態に係る携帯端末装置を示すものであり、（Ａ）は平面図、（Ｂ）はＦ−Ｆ線（切断面を１８０度反転した状態を示す）断面図、（Ｃ）はその変形例を示す平面図
【図１０】本発明の第７の実施形態に係る携帯端末装置を示すものであり、（Ａ）は平面図、（Ｂ）はＧ−Ｇ線（切断面を１８０度反転した状態を示す）断面図
【図１１】本発明の第８の実施形態に係る携帯端末装置を示すものであり、（Ａ）は平面図、（Ｂ）はＨ−Ｈ線（切断面を１８０度反転した状態を示す）断面図
【図１２】従来の携帯端末装置を示すものであり、（Ａ）は平面図、（Ｂ）は側面図、（Ｃ）はＩ−Ｉ線（切断面を１８０度反転した状態を示す）断面図
【符号の説明】
【００６４】
１０  携帯端末装置
２０  下筐体
３０  上筐体
４０  連結部
５０  外装パネル
３１  電気機械音響変換器
３１４  ボイスコイル
３１５  振動板
３１６  フレーム
３２  第１の放音孔
３３  通気孔
３４  第１の音通路（第１の側壁部材）
３５  第２の放音孔
６１  第２の音通路（第２の側壁部材）
６１Ａ  芳香孔
７１  第３の音通路（第３の側壁部材）
８１  隔壁
８２  砂鉄
８１Ａ  磁極部
９１  隔壁
９２  電極部
１０１  封止部材
ＢＲ  バッテリ室
Ｌ  液体
Ｓ  内部空間
Ｓ１  拡張空間
Ｔ  玩具
【図１】
2007318396.tif 000003
【図２】
2007318396.tif 000004
【図３】
2007318396.tif 000005
【図４】
2007318396.tif 000006
【図５】
2007318396.tif 000007
【図６】
2007318396.tif 000008
【図７】
2007318396.tif 000009
【図８】
2007318396.tif 000010
【図９】
2007318396.tif 000011
【図１０】
2007318396.tif 000012
【図１１】
2007318396.tif 000013
【図１２】
2007318396.tif 000014